(57)【要約】【課題】境界杭の埋設角度を修正しあるいは引き抜く際の大きな荷重に耐えうる堅牢な構造を有しかつ境界杭の運搬にも使用できる境界杭用治具を提供する。【解決手段】境界杭用治具１０は長尺の鉄筋１２，１４と、短尺の鉄筋１６，１８，２０，２２を溶接して構成される。境界杭用治具１０の左右両側には境界杭２８の係合口２４−１，２４−３が形成されている。土中に埋設されている境界杭２８の埋設角度を修正しあるいは引き抜く際には、一方の係合口２４−１に境界杭２８を収容し他方の係合口２４−３側の鉄筋を手で握って操作する。境界杭２８を運搬する際には係合口２４−１，２４−３の一方または両方に境界杭２８を通し上側の鉄筋を手で握って持ち上げて運搬する。【選択図】図１
2008223296.tif 000002
【特許請求の範囲】
【請求項１】
長方形状の金属枠を有し、
該金属枠の開口部内の長手方向両側部にそれぞれ金属棒による仕切りを設けて、該開口部内の長手方向両側部に軸直角方向の断面形状が正方形状の境界杭を収容しかつ該境界杭に対しその軸回り方向に係合する正方形状の係合口をそれぞれ形成してなる境界杭用治具。
【請求項２】
前記金属枠および金属棒が鉄筋でそれぞれ構成される請求項１記載の境界杭用治具。
【請求項３】
前記金属枠の両長辺部を構成する第１の長さの２本の鉄筋と、該金属枠の両短辺部および前記両金属棒をそれぞれ構成する第２の長さの４本の鉄筋を溶接して構成される請求項２記載の境界杭用治具。
【請求項４】
建築土木用の鉄筋を切断して前記第１の長さの鉄筋と前記第２の長さの鉄筋を用意し、これら２種類の長さの鉄筋を溶接で組み立てて請求項３記載の境界杭用治具を製造する方法。
【発明の詳細な説明】
【技術分野】
【０００１】
この発明は境界杭用治具に関し、境界杭の埋設角度の修正、引き抜き、運搬等に使用されるものである。またこの発明はこの発明の境界杭用治具の製造方法に関する。
【背景技術】
【０００２】
従来の境界杭用治具として下記特許文献１に記載されたものがあった。これは図２に示すように四角形の枠１に柄２を連結して構成されたものである。この治具を用いて土中に埋設されている境界杭の埋設角度の修正を行うときは枠１内に境界杭の上部を嵌め込み、柄２を手で握りかつ水平方向に回して境界杭の埋設角度を修正する。境界杭を土中から引き抜くときは枠１内に境界杭の上部を嵌め込み、柄２を手で握りかつ引き上げて境界杭を引き抜く。
【０００３】
【特許文献１】実用新案登録第３０５６１６９号公報
【発明の開示】
【発明が解決しようとする課題】
【０００４】
治具を使用して土中に埋設されている境界杭の埋設角度を修正しあるいは引き抜く際には該治具に非常に大きな荷重がかかる。特許文献１記載の境界杭用治具の構造によれば、この大きな荷重に耐えられず柄２が根元から折れたり途中で曲がったりする危険性が高かった。またこの境界杭用治具は境界杭の運搬用治具としては適さない構造であった。
【０００５】
この発明は前記従来技術の欠点を解決して、境界杭の埋設角度を修正しあるいは引き抜く際の大きな荷重に耐えうる堅牢な構造を有しかつ境界杭の運搬にも使用できる境界杭用治具およびその製造方法を提供しようとするものである。
【課題を解決するための手段】
【０００６】
この発明の境界杭用治具は長方形状の金属枠を有し、該金属枠の開口部内の長手方向両側部にそれぞれ金属棒による仕切りを設けて、該開口部内の長手方向両側部に軸直角方向の断面形状が正方形状の境界杭を収容しかつ該境界杭に対しその軸回り方向に係合する（境界杭用治具が境界杭の軸回り方向に空回りしない状態）正方形状の係合口をそれぞれ形成してなるものである。
【０００７】
この発明によれば、土中に埋設されている境界杭の上部を一方の係合口に収容した状態で他方の係合口側の金属枠部分を手で握って水平方向に回すことにより境界杭の埋設角度の調整を行うことができる。また土中に埋設されている境界杭の上部を一方の係合口に収容した状態で他方の係合口側の金属枠部分を手で握って水平方向に揺すりながら引き上げることにより境界杭の引き抜きを行うことができる。また係合口に境界杭を通して支持し、該境界杭を通してない領域の金属枠の上部（水平部分）を手で握って持ち上げることにより境界杭を容易に運搬することができる。
【０００８】
これによれば境界杭の埋設角度の調整操作および境界杭の引き抜き操作において手で力を加える部分は金属枠で構成されているので、前記特許文献１記載の治具のように１本の柄２で構成されている場合に比べて頑丈であり、容易に折れたり曲がったりすることなく安全かつ確実に境界杭の埋設角度の修正および引き抜きを行うことができる。また仕切りを構成する両金属棒は金属枠の補強の役目も果たすことができる。
【０００９】
また埋設角度修正操作や引き抜き操作では境界杭との強い摩擦により境界杭用治具は摩耗するが、この発明によれば金属枠の両側に境界杭との係合口がそれぞれ形成されるので、各係合口の使用回数を均等にすることにより、前記特許文献１記載の治具のように係合口が１個のものに比べて境界杭用治具の寿命を延ばすことができる。
【００１０】
この発明の境界杭用治具は例えば前記金属枠および金属棒を鉄筋でそれぞれ構成することができる。特に鉄筋として表面に節が形成されている異形鉄筋を使用することにより、この節が境界杭および手に対する滑り止めの役目を果たすことができる。
【００１１】
この発明の境界杭用治具は例えば、前記金属枠の両長辺部を構成する第１の長さの２本の鉄筋と、該金属枠の両短辺部および前記両金属棒をそれぞれ構成する第２の長さの４本の鉄筋を溶接して構成することができる。これによれば２種類の長さの鉄筋を用意して作ることができるので、製造が容易である。
【００１２】
この発明の境界杭用治具の製造方法は、建築土木用の鉄筋を切断して前記第１の長さの鉄筋と前記第２の長さの鉄筋を用意し、これら２種類の長さの鉄筋を溶接で組み立てて境界杭用治具を製造するものである。これによれば、市販されている建築土木用の鉄筋を切断し溶接して製造することができるので、特殊な機械を使用せずに製造することができ、安価に製造することができる。
【発明を実施するための最良の形態】
【００１３】
この発明の実施の形態を以下説明する。図１はこの発明による境界杭用治具を示す。（ａ）は正面図（背面図も同じ）、（ｂ）は（ａ）のＡ矢視図、（ｃ）は（ａ）のＢ矢視図である。この境界杭用治具１０は全体が同一種類の鉄筋を溶接して作られている。この実施の形態では鉄筋として、節１３とリブ１５を有する異形鉄筋（ここでは異形丸棒）を使用している。後述するように節１３は境界杭に対する滑り止めの役目を果たし、節１３およびリブ１５は操作する手に対する滑り止めの役目を果たす。
【００１４】
境界杭用治具１０は互いに同じ長さの２本の長尺の鉄筋１２，１４と、互いに同じ長さの２本の短尺の鉄筋１６，１８を長方形状に組んで溶接して長方形状の外枠１１（金属枠）を構成している。外枠１１の内側に形成される開口部２４内の長手方向両側部には鉄筋１６，１８と同じ長さの２本の鉄筋２０，２２（金属棒）が長尺の鉄筋１２，１４間に橋渡しされそれぞれ溶接されている。開口部２４は鉄筋２０，２２により３つの領域２４−１，２４−２，２４−３に仕切られている。左右両端部の領域２４−１，２４−３が境界杭を収容する係合口を構成する。全６本の鉄筋１２，１４，１６，１８，２０，２２の全８箇所の溶接箇所を符号２６−１乃至２６−８で示す。長尺の鉄筋１２，１４は互いに平行に配置され、短尺の鉄筋１６，１８．２０，２２は互いに平行に配置されている。これにより境界杭用治具１０は全体として鉄筋の直径分の厚さの平坦な板状に構成されている。各鉄筋１２，１４，１６，１８，２０，２２の各表裏両面に該鉄筋の軸に平行に形成された２本のリブ１５は、この板状の境界杭用治具１０の表裏両面位置に配置されている。これにより係合口２４−１または２４−３に境界杭（図１（ａ）に二点差線２８で示す）を通したときに境界杭２８の表面に節１３が強く押し当たり（リブ１５は当たらない）、良好な滑り止めが実現される。
【００１５】
短尺の鉄筋１６，２０間の距離および短尺の鉄筋１８，２２間の距離は長尺の鉄筋１２，１４間の距離にそれぞれ等しい。これにより係合口２４−１，２４−３はそれぞれ正方形に構成されている。この係合口２４−１，２４−３の一辺の寸法は、この境界杭用治具１０が適用される境界杭２８の一辺の寸法よりも少し（５ｍｍ程度）長く設定されている。
【００１６】
一辺が９０ｍｍの正方形の軸直角方向断面形状を有するコンクリート境界杭に適用する場合の境界杭用治具１０の各部の寸法例を以下に示す。
《境界杭用治具１０の寸法例》
・鉄筋１２，１４，１６，１８，２０，２２の直径：１３ｍｍ
・外枠１１の長手方向の長さ：４００ｍｍ
・外枠１１の短手方向の長さ：１２１ｍｍ
・係合口２４−１，２４−３の一辺の長さ：９５ｍｍ
【００１７】
境界杭用治具の製造工程を説明する。
（１）建築土木用の鉄筋を切断して長尺（上記の寸法例では４００ｍｍ）の２本の鉄筋１２，１４と、短尺（上記の寸法例では９５ｍｍ）の４本の鉄筋１６，１８，２０，２２を用意する。
（２）これら全６本の鉄筋１２，１４，１６，１８，２０，２２を図１（ａ）に示す全８個の溶接箇所２６−１乃至２６−８で溶接して組み立てる。組み立て後必要に応じて外枠１１の外周の４つの角を溶接やヤスリで丸めて安全にする。さらに必要に応じて全体を塗装して完成する。
【００１８】
以上のように構成された境界杭用治具１０の使用方法について説明する。図３はコンクリート境界杭２８の埋設角度修正操作を示す。コンクリート境界杭２８を地面３０に埋設した後、境界杭用治具１０の一方の係合口２４−１にコンクリート境界杭２８を通し、コンクリート境界杭２８を係合口２４−１に対し該コンクリート境界杭２８の軸周り方向に係合させる。これによりコンクリート境界杭２８は境界杭用治具１０と一体になって水平方向に回転する状態となる。そして鉄筋１２，１４の他方の係合口２４−３の左右両側に位置する部分を左右の手で握り、境界杭用治具１０をほぼ水平に寝かせて矢印Ｃで示すように水平方向に回してコンクリート境界杭２８の埋設角度を修正する。このとき境界杭用治具１０には大きな荷重がかかるが、境界杭用治具１０は全体が鉄筋による枠体で構成されているので、前記図２に示した従来構造の１本の柄２を具えたものに比べて頑丈であり、折れたり曲がったりすることなく埋設角度を修正することができる。特に仕切りを構成する鉄筋２０，２２は外枠１１の補強の役目も果たすので境界杭用治具１０全体として高い強度を得ることができる。
【００１９】
図４はコンクリート境界杭２８の引き抜き操作を示す。地面３０に埋設されたコンクリート境界杭２８を引き抜くときは、境界杭用治具１０の一方の係合口２４−１にコンクリート境界杭２８を通し、コンクリート境界杭２８を係合口２４−１に対し該コンクリート境界杭２８の軸周り方向に係合させる。これによりコンクリート境界杭２８は境界杭用治具１０と一体になって水平方向に回転する状態となる。そして鉄筋１２，１４の他方の係合口２４−３の左右両側に位置する部分を左右の手で握る。そして水平方向に強く揺すってコンクリート境界杭２８と地面３０との間に隙間を作りながら矢印Ｄで示すように上方向に引き上げる。このとき境界杭用治具１０は手で握っている側が持ち上がり水平に対し角度が付いてコンクリート境界杭２８は鉄筋１６，２０間に強く挟まれた状態となる。したがって鉄筋１６，２０とコンクリート境界杭２８との間に大きな摩擦力が生じ、コンクリート境界杭２８は上方に引き抜かれていく。この場合境界杭用治具１０は異形鉄筋で構成されているので、鉄筋１６，２０の節１３（図１（ａ））がコンクリート境界杭２８の表面に強く押し当たり、大きな摩擦力が得られ、両者間が滑ることなくコンクリート境界杭２８を引き抜くことができる。また手で握る部分にも節１３およびリブ１５があるので手が滑るのも防止される。
【００２０】
なお図５に示すように２本の境界杭用治具１０，１０を用いて互いに水平方向に１８０度角度をずらして配置し、一方の係合口２４−１，２４−１をコンクリート境界杭２８に２段重ねにして通し、後端部の鉄筋１８，１８を一人または二人の手でそれぞれ握って水平方向に揺すりながら引き上げてコンクリート境界杭２８を引き抜くこともできる。
【００２１】
以上説明した埋設角度修正操作および引き抜き操作は逆側の係合口２４−３側を使用して（係合口２４−３にコンクリート境界杭２８を通し、係合口２４−１側に手をかけて）行うこともできる。埋設角度修正操作や引き抜き操作ではコンクリート境界杭２８との摩擦により境界杭用治具１０の鉄筋は摩耗するが、２つの係合口２４−１，２４−３の使用回数を均等にすることにより、前記図２に示した従来構造のように係合口が１個のものに比べて境界杭用治具１０の寿命を延ばすことができる。
【００２２】
コンクリート境界杭２８を運搬するときは、図６に示すように境界杭用治具１０を縦長にして用いて、下側の係合口２４−１にコンクリート境界杭２８を横置きに通してコンクリート境界杭２８の長手方向の中央部を下端の鉄筋１６でバランスよく支持し、上側の係合口２４−３の上端の鉄筋１８を手で握って持ち上げて運搬する。このときコンクリート境界杭２８は鉄筋１６の表面の節１３（図１（ａ））と接するので滑りにくい。また手も鉄筋１８の表面の節１３およびリブ１５と接するので滑りにくい。境界杭用治具１０の上下を反転して、係合口２４−３にコンクリート境界杭２８を通し上端の鉄筋１６を手で握って同様に運搬することもできる。なお２本の境界杭用治具１０，１０をそれぞれ縦長にして用いて、１本のコンクリート境界杭２８を横置きにして該コンクリート境界杭２８の長手方向の前部、後部を境界杭用治具１０，１０の下側の係合口２４−１，２４−１に通して下側の鉄筋１６，１６でそれぞれ支持し、上側の係合口２４−３，２４−３の上端の鉄筋１８，１８を２人の作業者がそれぞれ手で握って持ち上げて運搬することもできる。
【００２３】
２本のコンクリート境界杭２８，２８を運搬するときは、図７に示すように境界杭用治具１０を横長にして用いて、左右の係合口２４−１，２４−３にコンクリート境界杭２８，２８をそれぞれ通してコンクリート境界杭２８，２８の長手方向の中央部を下側の鉄筋１２でバランスよく支持し、上側の鉄筋１４の中央の開口部２４−２に位置する部分を手で握って持ち上げて運搬する。このときコンクリート境界杭２８は鉄筋１２の表面の節１３（図１（ａ））と接するので滑りにくい。また手も鉄筋１４の表面の節１３およびリブ１５と接するので滑りにくい。境界杭用治具１０の上下を反転して、下側の鉄筋１４でコンクリート境界杭２８，２８を支持し、上側の鉄筋１２の中央の開口部２４−２に位置する部分を手で握って持ち上げて運搬することもできる。
【００２４】
なお図１は９０ｍｍ角（９０ｍｍ×９０ｍｍ）のコンクリート境界杭に適用する場合の境界杭用治具１０の設計例を示したが、コンクリート境界杭にはこのほかに１２０ｍｍ角（１２０ｍｍ×１２０ｍｍ）のものがある。この１２０ｍｍ角のコンクリート境界杭に適用する場合の図１の構造の境界杭用治具１０の各部の寸法例を以下に示す。
《境界杭用治具１０の寸法例》
・鉄筋１２，１４，１６，１８，２０，２２の直径：１３ｍｍ
・外枠１１の長手方向の長さ：４００ｍｍ
・外枠１１の短手方向の長さ：１５１ｍｍ
・係合口２４−１，２４−３の一辺の長さ：１２５ｍｍ
この寸法例によれば中央の開口部２４−２の幅は９８ｍｍとなり、９０ｍｍ角用の場合の開口部２４−２の幅（１５８ｍｍ）よりも狭くなる。
【００２５】
また前記実施の形態では境界杭用治具１０を２本の長尺の鉄筋１２，１４と、４本の短尺の鉄筋１６，１８，２０，２２を組み合わせて構成したが、これに代えて鉄筋１２，１４，１６，１８を繋いだ分の長さの１本の長尺の鉄筋と鉄筋２０，２２をそれぞれ構成する２本の短尺の鉄筋を用意し、１本の長尺の鉄筋を長方形状に折り曲げて両端部どうしを溶接して金属枠１１を構成し、この長方形の長辺間に鉄筋２０，２２を橋渡し状に溶接して図１と同様の形状の境界杭用治具を作ることもできる。
【図面の簡単な説明】
【００２６】
【図１】この発明による境界杭用治具の実施の形態を示す図で、（ａ）は正面図、（ｂ）は（ａ）のＡ矢視図、（ｃ）は（ａ）のＢ矢視図である。
【図２】従来の境界杭用治具を示す斜視図である。
【図３】図１の境界杭用治具を使用してコンクリート境界杭の埋設角度を修正する操作を示す斜視図である。
【図４】図１の境界杭用治具を使用してコンクリート境界杭を引き抜く操作を示す斜視図である。
【図５】図１の境界杭用治具を２本使用してコンクリート境界杭を引き抜く操作を示す正面図である。
【図６】図１の境界杭用治具を使用して１本のコンクリート境界杭を運搬する操作を示す斜視図である。
【図７】図１の境界杭用治具を使用して２本のコンクリート境界杭を運搬する操作を示す斜視図である。
【符号の説明】
【００２７】
１０…境界杭用治具、１１…金属枠、２０，２２…金属棒、２４…開口部、２４−１，２４−３…金属枠の係合口、２６−１乃至２６−８…溶接箇所、２８…境界杭
【図１】
2008223296.tif 000003
【図２】
2008223296.tif 000004
【図３】
2008223296.tif 000005
【図４】
2008223296.tif 000006
【図５】
2008223296.tif 000007
【図６】
2008223296.tif 000008
【図７】
2008223296.tif 000009